(57)【要約】風力発電機及び多くのプロペラに用いられる円形ハニカムローターは、曲がった筒状台形部材、２またはそれ以上の同心筒状シリンダ及び任意個数の曲がった筒状台形部材を有する。シリンダーと台形部材とで、風との大きな接触面積を有する台形チューブモジュールを形成する。円形パネルの同心筒状シリンダは、それらの間に嵌着された曲がった部材を有し、風力発電機における風の出口を極小化するとともに風との接触面積を増大させる。プロペラローター用の場合は、円形の曲がった筒状台形部材が多数用いられると共にその風との接触面積も増大され、風の入口が小さくされ且つ風の出口が大きくされることによって円心推進力を最適に利用することが可能となる。
2006526100.tif 000002
【特許請求の範囲】
【請求項１】
曲がった筒状の台形部材を備えた風力発電機及びプロペラ用の円形ハニカムローターであって、複数の筒状シリンダ（１，６）の間に各々部材（２，７）が設けられ、筒状シリンダの中心にはオルタネータまたはエンジンが装着されるキューブないし芯体（３，８）が設けられており、部材（２，７）のすべては同心状に設けられた筒状シリンダ（１，６）によって周囲を閉塞された曲がった筒状台形形状を有しており、同心筒状シリンダ間の台形部品の位置は曲がった台形チューブ（５，１０）を形成し、全体の構造はオルタネータまたはエンジンの中心に組み込まれるキューブないし芯体（３，８）を備えた円形ハニカム形状を有し、各筒状シリンダ（１，６）は４個またはそれ以上の部材（２，７）を有して一対またはより以上の対に組み込まれ、台形部材（２，７）のすべては曲がっていて風接触面積を大きくして送風特性を極大化せしめ、曲がった筒状台形の円形パネルは公知の規則的または不規則的幾何学形状のいずれをも取り得ることを特徴とする円形ハニカムローター
【請求項２】
風力発電機に用いられる請求項１の曲がった筒状台形部品を備えた円形ハニカムローターであって、同心状シリンダ（１）に連結された部品（２）が曲がった台形を有していてチューブ（５）を形成し、該台形が徐々に曲がっていて風を一方向に送り込むようにするために風の入口表面が出口表面積より大きくされており、これら台形部材（２）におけるすべての風出口表面は小さな圧力を発生させ、最大径を有する筒状シリンダ（１）はその入口側に外向きに開口する円錐状ファネル（４）を有することを特徴とする、円形ハニカムローター。
【請求項３】
多くのプロペラ用途に用いられる請求項１または請求項２の曲がった筒状台形部品を備えた円形ハニカムローターであって、台形部品（７）が同心シリンダ（６）と共に曲がって台形チューブ（１０）を形成して全体を円形ハニカム形状としており、曲がった筒状台形部材（７）は小さな風の入口表面と大きな風の出口表面を有し、周囲が完全に閉塞されることにより遠心力の作用が最適化され、最大径を有する筒状シリンダー（６）はその出口側に風の出口表面を減少させる円錐筒状ファネル（９）を有することを特徴とする、円形ハニカムローター。
【発明の詳細な説明】
【技術分野】
【０００１】
本発明は風力発電機および多くのプロペラに用いられるウインドミルロータに関する。
【背景技術】
【０００２】
風力発電機ロータに用いられる技術は様々な分野に応用され、異なる寸法を許容する。それは、通常は３つのブレードを備えたピッチからなり、幾つかのモデルでは風向きに容易に適合可能な指向性ブレードを備える。現在では、風力発電機および多くのプロペラの外周部は拡がるように開口しており、推進遠心力がプロペラを通じて浪費されている。従来の３枚ブレード型の風力発電機は接触面積が最小であり、通常は風速に対してきわめて低い性能しか有しない。
【発明の開示】
【発明が解決しようとする課題】
【０００３】
曲がった筒状台形部材を備えた円形ハニカムロータと呼ばれるこの発明の目的は、風力発電機および多くのプロペラにとって理想的である。その目的は発電機およびプロペラの性能を向上させることであり、このことは、同心筒状シリンダに設けられた該曲がった部材が曲げられている箇所において該筒状シリンダを通じてすべての外周部が完全に閉塞されていることによって達成される。すべての部材は、円形の曲がった筒状台形部材のモジュールによって形成される円形ハニカム形状に組み込まれ、風力の全量を受けることによって台形部数を２倍以上に増やすと同時に風との接触面積を１２倍以上に増幅させる。風力発電機ロータは台形部数の増大およびそれらの接触面積の増大を通じて風力の大半を作り出す。多くのプロペラロータにおいても同様であり、台形部数の増大およびそれらの接触面積の増大によって推進遠心力の増幅およびその最適な使用が可能となる。
【課題を解決するための手段】
【０００４】
円形の曲がった筒状台形部材を備えた円形ハニカムロータは風力発電機および多くのプロペラにとって理想的である。このロータは複数の同心筒状シリンダを有すると共にそれらの間には曲がった部材が取り付けられていて、円形筒状台形部材を構成しており、その主たる目的は風力性能を最大化させることである。他方、この風力発電機およびプロペラにおける最大化は、従来のブレードを曲がった筒状台形部材に代えることによって実現可能であり、これにより風接触面積を１２倍以上増大させることができる。このことにも増して、プロペラは、エンジン回転によって発生されブレードに向かう推進遠心力の多くを最大化する。また、これらの台形部材は同心筒状シリンダ内に嵌着され、すべての台形部材の外周を閉塞して、ロータに円形ハニカム形状を与える。風力発電機においては、最大径を有する筒状シリンダが外向き円錐開口を有する開放ファネルに装着され、ロータに風が入る面積を増大させている。従来の風力発電機における曲がった筒状台形部材はソフトな入口を有し、それは出口に向けて低下し、小さな圧力しか発生させない。これはこの種の風力ロータにおいては自然のことである、何故ならば該風力ロータは同一の方向に向いた風の入口と出口の領域を持っているからである。にもかかわらず本発明では、曲がった筒状台形部材の連続的なカーブによって風向きを変え、それが風力タービンにおいて生じると同様に、風が出るときに風力を自動的に低減させる。概してプロペラは風力ロータと同様の特性を有し、遠心力効果が更に加えられる。通常の風の場合、円形の曲がった筒状台形部材の出口面積は、固定であるか、あるいは最適圧力を実現するために事前に計算されなければならない。変化し得る風の場合は、出口面積は自動的である。上述の円形筒状台形部材は幾つかの同心筒状シリンダ内に組み込まれる。各々の同心筒状シリンダの間には曲がった部材が挿入されて、全体の構造に、円形の曲がった筒状台形部材を内側に有する円形ハニカム形状を与える。風力発電機およびプロペラ内の曲がった筒状台形部材は、円形、筒状、楕円形、必要に応じて規則的または不規則的な辺を有する多角形、その他のいかなる公知の幾何学的形状であって良い。台形部材の内側も同様の形状を採用することができ、あるいは斜台形（oblique trapezoids）またはその唯一の機能が風力を最小化することであると考えられる任意のラフ形状などの他の形状であっても良い。多くのプロペラにおける最大径筒状シリンダは内側に向けて開口する円錐ファネルに装着され、風の出口表面積を減少させ、したがって出口における風力を最小化する。
【０００５】
多くのプロペラにおける曲がった筒状台形部材は、空気圧を増大させるために、出口側の表面積よりも入口側の表面積が小さくされている。この技法により本発明はエンジンから発生する遠心力および推進力のほとんどを形成する。同様の技法が風力発電機にも適用されるが、この場合は、空気圧を減少させるために、曲がった台形部材は出口側の表面積より入口側の表面積が大きい。大きなロータ表面積によって増幅されることによって、風力ロータに働く風力のほとんどを形成する重要なエネルギー量を生成する。
【０００６】
風力発電機および多くのプロペラ用の円形ハニカムロータは多くの曲がった筒状台形部材を有し、従来型ロータに比べて１２倍以上もの表面積を持つ。その大きな風接触表面積は、外周が完全に閉塞されていることによって風力ロータに働く力を増幅する。
【０００７】
曲がった筒状台形部材を備えた風力発電機および多くのプロペラ用円形ハニカムロータは、台形部材数を増大させる利点を有し、したがって該曲がった部材上の風接触面積ないし風摩擦を増幅させ、ロータに働く風力を最大化する。このことも多くの場合増幅される。台形部材の外周が同心筒状シリンダによって完全に閉塞されていることを考えると、各列を並べるか否かは任意である。これが本発明の基礎である。
【０００８】
風力発電機および多くのプロペラ用の円形ハニカムロータは、円形の曲がった筒状台形部材の間の曲がった部材の配置によって両方向に動くことができる。
【発明を実施するための最良の形態】
【０００９】
図１は風力発電機用の円形ハニカムローターの正面図であり、その中に幾つかの同心筒状シリンダ１を見ることができる。図面では４つの筒状シリンダを示している。最大径を有する筒状シリンダは円錐状のファネル４内に嵌着されており、該ファネルは外向きに開口して風が入り込む面積を最大化している。これらの筒状シリンダの間には、曲がった筒状台形体２が嵌め込まれている。図面では各同心筒状シリンダの大きな径のものとその次の径のものとの間に順次１２個、１０個、８個及び６個の曲がった筒状台形体が嵌め込まれている。これは、個々の円形ハニカム形状が円形の曲がった筒状台形体５として構成されていることを意味している。最後に、キューブ（ｃｕｂｅ）ないし芯体３が中央に見える。この芯体３の内部にはオルタネータ軸が嵌着される。
【００１０】
図２は多くのプロペラに用いられる円形ハニカムローターの正面図であり、その中に幾つかの同心筒状シリンダ６を見ることができる。図面では４つの筒状シリンダを示している。最大径を有する筒状シリンダは円錐状のファネル９内に嵌着されており、該ファネルは内向きに開口して風が出ていく面積を最小化している。これらの同心筒状シリンダの間には、曲がった部材７が嵌め込まれている。図面では各同心筒状シリンダの大きな径のものとその次の径のものとの間に順次１２個、１０個、８個及び６個の曲がった部材が嵌め込まれている。これは、円形ハニカム形状が円形の曲がった筒状台形体１０として構成されていることを意味している。最後に、キューブ（ｃｕｂｅ）ないし芯体８が中央に見える。この芯体３の内部にはオルタネータ軸が嵌着される。
【００１１】
図３は図１の一部を示す図であり、中心にキューブないし芯体３を有すると共にさらに台形幅部分２を備えた同心筒状シリンダ１の部分が示されている。ここで台形幅部分２の曲がりを見ることができる。また、最大径を有する筒状シリンダ上にどのようにして円錐形状ファネルが外方開口で嵌着されているかを見ることができる。円形の曲がった筒状台形体５には風の方向を示す矢印が付されている。
【００１２】
図４は図２の一部を示す図であり、中心にキューブないし芯体８を有すると共にさらに台形幅部分７を備えた複数の同心筒状シリンダ１が示されている。また、最大径を有する筒状シリンダ上にどのようにして円錐形状ファネルが数の出口面を最小化するための内方開口で嵌着されているかを見ることができる。円形の曲がった筒状台形体１０には風の方向を示す矢印が付されている。
【００１３】
図５は風力発電機の最大径筒状シリンダの半分の領域を示す図であり、円形の曲がった筒状台形部材間に嵌着された部品の曲がりを見ることができる。また、風力発電機における風の出口面積が矢印Ｖ方向及び矢印Ｒで示される回転方向に向かうにつれて減少していることが分かる。
【００１４】
図６は多くのプロペラの最大径筒状シリンダの半分の領域を示す図であり、円形の曲がった筒状台形部材間に嵌着された部品の曲がりを見ることができる。また、矢印Ｃ方向及び矢印Ｈで示される回転方向において風の入口面積が小さく、出口面積が大きくなっていることが分かる。
【００１５】
風力発電機や多くのプロペラに用いられる、４個またはより多数の円形の曲がった筒状台形部材を備えた円形のハニカムローターは、ローターの中心に芯体３，７を備えると共に、同心状に設けられた２個またはより多数の筒状シリンダ１，５を備える。筒状シリンダの間には、円形の曲がった筒状台形を形成する部材２，６が設けられる。風力発電機用のローターでは、最大径を有する筒状シリンダ１の入口側に、外向きに開口する円錐形ファネル４が嵌着される。多くのプロペラに用いられるローターでは、最大径を有する筒状シリンダ５の出口側に、内向きに開口する円錐形ファネル９が嵌着される。これらの独立した部材のすべては溶接、リベット、ネジその他の伝統的な接合方法によって組み付けることができる。風力発電機ローターのための寸法は必要とされる性能に応じて変えることができるが、その径は従来の風力発電機の寸法と同様で良い。構成材料は軽量で、金属製で、耐腐食性を有することが必要である。多くのプロペラローターについては、鋳鉄や高抵抗且つ軽量の合金材、鎧装プラスチック（sheathing plastic）が推奨できる材料である。
【００１６】
風力発電機における円形の曲がった筒状台形部材２は風の出口を極小化するために設けられている。これは、風の入口面積が大きく、出口面積が小さくされていることによって実現される。図５の矢印Ｖ方向に沿って風の出口面積が小さくなるように設計されていることにより、大きなローター面積に対して小さな圧力発生で済むことが非常に重要である。
【００１７】
円形ハニカムローターにおいて、プロペラ部品及び円形の曲がった筒状台形部材７は、図６の矢印Ｃ方向に沿って入口面積が小さく出口面積が大きい。
【００１８】
立方体形状の芯体３，８は、その固定（連結）特性に応じて、オルタネータ軸またはエンジンに装着される。
【００１９】
本発明の産業上の目的について、実施するに十分な程度に明確且つ詳細にこれまでに提示且つ記述してきた。ここで私はこれが新規であり且つ私自身の発明に相違ないことを宣誓する。形状、寸法、材料及び組立方法などの非本質的な詳細は、それが特許請求の範囲に特定された範囲内に包含される限り、このレポートにおいて記述され表現されたところによって変更が可能である。
【図面の簡単な説明】
【００２０】
【図１】風力発電機用の円形ハニカムローターの正面図である。
【図２】多くのプロペラに用いられる円形ハニカムローターの正面図である。
【図３】図１の一部を示す図である。
【図４】図２の一部を示す図である。
【図５】風力発電機の最大径筒状シリンダの半分の領域を示す図である。
【図６】多くのプロペラの最大径筒状シリンダの半分の領域を示す図である。
【図１】
2006526100.tif 000003
【図２】
2006526100.tif 000004
【図３】
2006526100.tif 000005
【図４】
2006526100.tif 000006
【図５】
2006526100.tif 000007
【図６】
2006526100.tif 000008
【国際調査報告】
2006526100.tif 000009
2006526100.tif 000010
2006526100.tif 000011
2006526100.tif 000012